(57)【要約】【課題】携帯スリッパを成形する工程を単純化して製造工程数を減らしコストの削減が出来るようにしたもので携帯スリッパが中敷になるので旅行に出かけるときには、中敷として靴の中に入れておき旅の車内で履ける心地の良い携帯スリッパを提供できることを目的とする。【解決手段】図２に示すように係止体１の左右に略長円形の足形材２−Ａ２−Ｂを踵側で対峙させ係止体１には甲部３をもうけ左右横の係止体１に折り目４を付けておき係止体１を図３のようにループ状にして左右の略長円形の足形材を重ねて貼りさらにループ状になった係止体１の中を携帯スリッパの足形材と同一外形の足形材８をくぐらせ携帯スリッパ５−Ｂの上面に脱着可能な雌雄接着部材で貼り携帯スリッパ図７を形成した又携帯スリッパ５−Ｂから同一外形の足形材８を外して携帯スリッパ５−Ｂの係止体を間に挟むようにして再び携帯スリッパ５−Ｂ上面に雌雄接着部材で貼り付け中敷図９とした【選択図】  図７
2005161064.tif 000002
【特許請求の範囲】
【請求項１】
係止体の左右に略長円形の足形材を対峙させたものを和紙やフェルト材等の１枚の板材よりカットし係止体をループ状にすることで左右の足形材を重ね貼り合わせして成形することを特徴する携帯スリッパ
【請求項２】
請求項１記載の携帯スリッパにおいて中敷として使用する場合には係止体を携帯スリッパのつま先側でなく反対の踵側とし係止体の中心部には携帯スリッパの踵横幅より若干狭い幅の甲部をもうけ左右横の係止体は共に携帯スリッパ本体上に収まるよう畳み目を付けておきその係止体を折りたたんで袋物のカバーを掛けることにより中敷とすることを特徴とする携帯スリッパ
【請求項３】
係止体の左右に略長円形の足形材を踵側で繋ぎ対峙させたものを和紙やフェルト材等の１枚の板材よりカットし係止体をループ状にすることで左右の足形材を重ね貼り合わせると共にもう一枚携帯スリッパの足形と同一外形の雌雄接着部材が付いた脱着可能な足形材をループ状にした係止体の中をくぐらせもう片方の雌雄接着部材が付いた携帯スリッパ足形材に重ね合わせ貼り付けて携帯スリッパとすることを特徴とする携帯スリッパ
【請求項４】
請求項３記載の携帯スリッパの係止体その中心部に携帯スリッパの踵横幅より若干狭い幅の甲部をもうけ左右横の係止体は共に携帯スリッパの踵横幅内に収まるよう山折り谷折りの折り目を付けておき左右の係止体を折り目にそってたたみ携帯スリッパの足形材に貼り合わせてある同一外形の脱着可能な雌雄接着部材が付いた足形材を携帯スリッパ足形材より取り外し外した足形材で係止体を間に挟みこむようにして再び携帯スリッパの上面に雌雄接着部材を介して貼り付け中敷とすることを特徴する携帯スリッパ
【発明の詳細な説明】
【技術分野】
【０００１】本発明は携帯スリッパを中敷として使用できるようにしたもので係止体を折りたたんで携帯スリッパの足形と同一外形の雌雄接着部材が付いた脱着可能な足形材で携帯スリッパの係止体を間に挟むようにし、もう片方の雌雄接着部材の付いた携帯スリッパの足形材上面に貼り付けて中敷になるようにしており靴の中に入れることで荷物として持ち歩かなくてすむし乗り物等の席でスリッパに履きかえるときには中敷を取り出して携帯スリッパとして履けばよい履き替えが容易にできるので足からの疲労を軽減出来るようにしたものである。
【背景技術】
【０００２】
【特許文献１】特開平０７−２３８０７
【特許文献２】特開平０９−２６２１０６
【特許文献３】実開昭６０−１３３９０３
【特許文献４】特開２００１−１４９１０３
【特許文献５】実開昭５７−８１６０９文献１の技術は、中敷本体におけるつま先側に上下に貫通する孔を形成し、足指で挟む鼻緒材を取り付けたスリッパである。又文献２のスリッパは、竹やコルクゴム等で部材を作り、それらを組み合わせて成形している。そして文献３のスリッパは薄い平板状の足形に係止体を取り付けたもので中敷として使用する時には、係止体を下に底面を上にしている。又文献４のスリッパは、つま先に薄く柔らかい係止体を取り付けてつま先横幅の長さを超える係止体の１部分を中敷片側底部に折り曲げている。そして文献５のスリッパは係止体を折り畳んだ時に１枚の板状になるようにして、文献３同様係止体を下に底面を上にして中敷として使用する。以上のような背景技術で携帯スリッパが成形されている。
【発明が解決しようとする課題】
【０００３】解決しようとする問題文献１の技術は、中敷として使用する時は鼻緒材を取り外し靴の中に入れるとしているが、鼻緒材を別にするので邪魔になり無くす怖れもあるし、又文献２のスリッパは、多種類の部材を作りそれらを組み合わせて成形するので、部材や工程数も多くコストも価かってしまう。そして文献３のスリッパは、中敷として靴の中に収納する時係止体を下にするので、汚れたスリッパの底面が上になりそこに足を乗せて履くことになってしまう。また文献４の中敷はつま先側に薄く柔らかい係止体を取り付ているが、畳んだ係止体が偏っており靴を履く時足先があたり、係止体が捲くれ切れる恐れがある。又文献５のスリッパは、文献３同様汚れた底面が上になるような使用方法となっている。これまでの技術で作られたすべてのスリッパは、つま先側に係止体を取り付けているので、スリッパを履くと踵横幅が狭く足の踵がはみ出でしまい使い勝手が悪い欠点がある。
【０００４】この改善は団体旅行等に参加をして乗り物で移動をする時に車内で靴からスリッパに履き替えができるようにしたもので、和紙やフェルト材等で携帯スリッパを作り中敷にするときには携帯スリッパの足形材及び携帯スリッパ足形と同一外形の足形材の間に係止体を脱着可能な雌雄接着部材を介して挟み中敷になるよう成形されている。
【課題を解決するための手段】
【０００５】本発明は係止体の左右に略長円形の足形材を踵側で対峙させたものを、和紙やフェルト材等の１枚の板材よりカットし、係止体をループ状にすることで左右の足形材を重ね貼り合わせすると共にもう１枚の携帯スリッパの足形と同一外形の足形材をループ状にした係止体の中をくぐらせ脱着可能な雌雄接着部材を介して携帯スリッパと同一外形の足形材を重ね貼り合わせて成形するスリッパなので、従来の技術と違い製造工程数を大幅に減らし簡単でローコストの携帯スリッパとなり解決できた。又係止体をスリッパのつま先側でなく反対の踵側とし係止体の中心部には踵横幅より若干狭い幅の甲部をもうけ、左右の係止体は携帯スリッパの踵横幅内収まるよう折り目を付けておき折り目にそって係止体を折りたたみ携帯スリッパの足形材及び同一外形の足形材で係止体を間に挟むようにして携帯スリッパの上面に脱着可能な雌雄接着部材を介して貼り付け中敷とした。今までの技術で作れたスリッパはすべてつま先側に係止体を付けていたが本考案は反対の踵側にしたことで靴を履いた時中敷の係止体はつま先側にないので足先にあたることもないし切れることにもない又使用した中敷を裏返し汚れた底面を上にして靴の中に入れないので足や靴下を汚さない中敷となり、足の踵もスリッパの横幅の広いつま先側にくるので、使い勝手が良くなり共に解決できた。
【発明の効果】
【０００６】発明の効果として携帯スリッパを中敷として靴の中に入れておくことで出かける時スリッパを荷物として持ち歩かなくてすむ。旅行等の乗り物の席に長時間座り移動をする時に、靴の中から中敷を取り出して靴からスリッパに履きかえることで足からの疲れが軽減される。製造方法も簡単で製造工程数も少なくコストの削減ができる。スリッパの係止体を踵側にすることで靴を履いた時に足先に係止体が当たらない、携帯スリッパの横幅の広いつま先側に足の踵が来るので使い勝手がよくなる。中敷として使用する時は携帯スリッパに各種色彩を施し、脱いだ自分の靴の目印にもなるようにした。
【発明を実施するための最良の形態】
【０００７】旅行等に出かけるときは靴の中敷として使用し、乗り物の座席に座っている時には、靴の中から中敷を取りだし靴からスリッパとして履き替えが容易にできる。長時間移動を繰り返す旅の車内をスリッパで過ごせることは、足の疲れや旅の疲労を軽減でき快適にすごせる。炭材や磁石等を２枚の足形材の間に入れておけば蒸れや疲労対策に更なる効果が期待できる。色彩を施すことでツアー等大勢の人が脱いだの靴の中から、自分の靴を探す目印にもなる最良の形態にすることができる。
【実施例１】
【０００８】以下に本発明に係る携帯スリッパの具体的実施例図面を参照して説明する。【０００９】本発明は図２に示すように係止体１の左右に略長円形の足形材２を踵側で対峙させ係止体１には甲部３をもうけ左右横の係止体１には折り目４を付けておきそして係止体１を図３ようにループ状にして左右の略長円形の足形材２を重ねて貼り合わせると共にループ状になった係止体１の中をスリッパと同一外形の脱着可能な雌雄接着部材の付いた足形材８をくぐらせもう片方の接着部材の付いた携帯スリッパ上面に貼り合わせて図７のような携帯スリッパを形成した図１のようにして使用する又携帯スリッパ７から同一外形の足形材８を外し携帯スリッパ７の係止体１に付けた折り目にそって折りたたみ、たたんだ係止体１を間に挟むようにして再び脱着可能な雌雄接着部材の付いた同一外形の足形材８を携帯スリッパ上面に貼り付け図９中敷とした
【図面の簡単な説明】
【図１】携帯スリッパを履いた時の斜視図
【図２】対峙した略長円形足形材の踵側より係止体を介して継ぎ係止体に折り目を入た正面図
【図３】係止体をループ状にして足形材を重ね合わせる途中の正面図
【図４】携帯スリッパ及び袋状のカバー斜視図
【図５】携帯スリッパの係止体に袋状のカバーをかぶせた中敷の斜視図
【図６】ループ状の係止体に同一外形の足形材をくぐらせ携帯スリッパの足形材に貼り合わせる途中図
【図７】携帯スリッパの足形材に同一外形の足形材を貼り合わせた携帯スリッパ
【図８】係止体を折りたたみ同一外形の足形材を携帯スリッパの上面に貼り合わせる途中図
【図９】係止体を間に挟みこんだ中敷の側面図
【符号の説明】
１      係止体
２      略長円形の足形材  ２−Ａ  ２−Ｂ
３      係止体の甲部
４      係止体の折り目
５      携帯スリッパ      ５−Ａ  ５−Ｂ
６      袋物のカバー
７      中敷              ７−Ａ  ７−Ｂ
８      携帯スリッパの足形材と同一外形の足形材
９      脱着可能な雌雄接着部材    ９−Ａ  ９−Ｂ
【図１】
2005161064.tif 000003
【図２】
2005161064.tif 000004
【図３】
2005161064.tif 000005
【図４】
2005161064.tif 000006
【図５】
2005161064.tif 000007
【図６】
2005161064.tif 000008
【図７】
2005161064.tif 000009
【図８】
2005161064.tif 000010
【図９】
2005161064.tif 000011